(57)【要約】【課題】低コスト化を図ることができ、さらに食器の料理に関する告知情報をわかり易く表示することができる告知用の掲示具を提供する。【解決手段】告知用の掲示具１０は、カレーライス、だんごや白玉などの多種の料理２０に差し込み可能な串１１の頂部１２に表示用のボード部１５を設け、このボード部１５に料理２０に含まれている成分及び／又は当該料理の説明を表示するものである。ボード部１５の下辺１８を串１１から外側に向けて上がり勾配に形成する。また、ボード部１５を紙１６で形成し、串１１の頂部１２に糊付けで取り付けた。さらに、ボード部１５は、紙１６を中央１６ａで折り曲げ、折り曲げて重ね合わせた一対の折曲片１７で串１１の頂部１２を挟み込むように構成した。【選択図】  図２
2004325700.tif 000002
【特許請求の範囲】
【請求項１】
カレーライス、だんごや白玉などの多種の料理に差し込み可能な串の頂部に表示用のボード部を設け、このボード部に前記料理に含まれている成分及び／又は前記料理の説明を表示するようにしたことを特徴とする告知用の掲示具。
【請求項２】
前記ボード部の下辺を串から外側に向けて上がり勾配に形成したことを特徴とする請求項１記載の告知用の掲示具。
【請求項３】
前記ボード部を紙で形成し、前記串の頂部に糊付け又は接着テープで取り付けたことを特徴とする請求項１記載の告知用の掲示具。
【請求項４】
前記ボード部は、紙を中央で折り曲げ、折り曲げて重ね合わせた一対の折曲片で前記串の頂部を挟み込むようにしたことを特徴とする請求項１記載の告知用の掲示具。
【発明の詳細な説明】
【０００１】
【発明の属する技術分野】
本発明は告知用の掲示具に係り、さらに詳しくは、カレーライス、だんごや白玉などの多種の料理に含まれている成分及び／又は当該料理の説明をボード部に表示することにより、料理を食べる人がボード部の表示を読むことにより、料理に含まれている成分やその特徴を簡単に知ることができる告知用の掲示具に関する。
【０００２】
【従来の技術】
一般に、特定の成分に対してアレルギー体質の人がいるが、この人たちは、特定の成分を含んだ料理を食べるとアレルギー反応を起こしてしまうので、その成分を含んだ料理を食べないようにしている。
しかし、外食などの場合、特定の成分が料理に含まれているか否かを知るためには、調理者などに尋ねる必要があり、その確認に手間がかかっていた。
【０００３】
あるいは、健康によいとされている、豆乳で造っただんごに鉄分などの成分を含ませたことや、そばがき料理であることを明示することで、料理の価値を高めるために、成分をわかりやすく表示することも考えられる。
さらには、提供された料理について、成分以外のもろもろの特徴を料理人又は仲居さんに代わって、簡単に伝えたいという場合もあるし、客の立場からすれば聞いて見たい事柄も存在する。
【０００４】
そこで、食物のなかに含まれている成分及び／又は前記料理の説明を簡単に確認する手段として、掲示手段を用いて、食物に含まれている成分を表示する方法が考えられる。
この掲示手段として、例えば紙製の掲示物に張力を付与して掲示物を平坦に保ち、掲示物に文字や図形で料理に含まれている成分を表示するものが考えられる。（例えば、特許文献１参照。）。
【０００５】
【特許文献１】
特開２０００−２０６９１３号公報（第１頁、第２図）
【０００６】
上記公報の掲示手段は、紙製の掲示物の上下端部が袋状に縫製され、この縫製したものにそれぞれ芯棒が挿入され、これらの上下端部が保持部に取り付けられ、さらに下側の保持部が台座に取り付けられ、上側の保持部と台座とに湾曲状の弾性部材の上下端部が取り付けられることで、弾性部材の反発力で紙製の掲示物に張力を付与して、掲示物を平坦にして、平坦な掲示物に文字や図形が表示されるものである。
【０００７】
この掲示手段をコンパクトに形成することで、例えば食器の近傍に配置することが可能になり、料理に含まれている成分を表示することができるようになる。
【０００８】
【発明が解決しようとする課題】
しかしながら、上記公報の掲示手段は、紙製の掲示物の上下端部を袋状に縫製し、上下の縫製部に芯棒を挿入した後、さらに上下端部をそれぞれ上下の保持部に取り付け、下側の保持部に台座を取り付け、加えて上側の保持部と台座とに湾曲状の弾性部材の上下端部をそれぞれ取り付けて、弾性部材の反発力で紙製の掲示物を平坦に保つように構成されているので、構成部材が多く、そのことが製造コストを抑える妨げになっていた。
【０００９】
また、上記公報の掲示手段は、配置箇所として比較的広いエリアを必要とするので、料理を載せた食器上に置くことはできない。
このため、食器の近傍に配置することになるが、多数の食器を使用する際には、掲示手段の近傍に複数の食器が置かれることになり、掲示手段に表示されている告知情報が、どの食器の料理に対応するものかがわかり難くなる虞がある。
【００１０】
この発明は、低コスト化を図ることができ、さらに食器の料理に関する告知情報をわかり易く、正確に伝えられる告知用の掲示具を提供して、上述した全ての問題点を解消しようとするものである。
【００１１】
【課題を解決するための手段】
上記目的を達成するために、請求項１記載の発明は、カレーライス、だんごや白玉などの多種の料理に差し込み可能な串の頂部に表示用のボード部を設け、このボード部に前記料理に含まれている成分及び／又は前記料理の説明を表示するようにしたことを特徴とする。
【００１２】
本発明に係る告知用の掲示具によれば、串の頂部にボード部を設け、このボード部に料理に含まれている成分及び／又は当該料理の説明を表示するように構成することで、告知用の掲示具を簡単な構成とすることができる。
【００１３】
また、この告知用の掲示具によれば、串を料理に差し込むことや、料理の横に置くことが可能になり、ボード部を料理の極めて近傍に配置することができる。
よって、食器が複数個存在する場合でも、ボード部が、どの料理に対応する告知情報を示しているのかをわかり易くすることができる。
【００１４】
また、請求項２は、前記ボード部の下辺を串から外側に向けて上がり勾配に形成したことを特徴とする。
【００１５】
ボード部の下辺を串から外側に向けて上がり勾配に形成することで、例えば串を手で持った場合に、ボード部の下辺が手に当たることを防止することができるようになる。
【００１６】
さらに、請求項３は、前記ボード部を紙で形成し、前記串の頂部に糊付けや接着テープで取り付けたことを特徴とする。
【００１７】
ボード部を紙で形成し、前記串の頂部に糊付けや接着テープで取り付けるだけの簡素な構成とすることができる。
【００１８】
また、請求項４は、前記ボード部は、紙を中央で折り曲げ、折り曲げて重ね合わせた一対の折曲片で前記串の頂部を挟み込むようにしたことを特徴とする。
【００１９】
ボード部として使用する紙を中央で折り曲げ、折り曲げて重ね合わせた一対の折曲片で串の頂部を挟み込むことで、両方の折曲片に、料理に含まれている成分及び／又は当該料理の説明を表示することができる。
よって、多方向から料理に関する告知情報を読み取ることができる。
また、告知用の掲示具を料理の近傍に置く場合に、ボード部の向きを気にすることなく置くことができる。
【００２０】
【発明の実施の形態】
以下添付図面に基づいて、本発明に係る告知用の掲示具の一実施の形態を詳説する。
図１は本発明に係る告知用の掲示具の第１実施の形態を示す平面図、図２は同第１実施の形態の分解斜視図、図３は同第１実施の形態の使用例を示す説明図、図４は同第１実施の形態の使用例を示すもう一つの説明図である。
【００２１】
図１〜図２に示す第１実施の形態の告知用の掲示具１０は、カレーライス、だんごや白玉などの多種の料理２０（図３、図４参照）に差し込み可能な串１１の頂部１２に表示用のボード部１５を設け、このボード部１５に料理２０に関する告知情報を表示するものである。
【００２２】
串１１は、一例として竹を棒状に形成したものが使用されるが、これに限られるものではなく、例えば樹脂や金属で形成することも可能である。
ボード部１５は、紙製のもので、図２に示すように紙１６を中央１６ａで折り曲げ、折り曲げて重ね合わせた一対の折曲片１７で串１１の頂部１２を挟み込むように形成し、一対の折曲片１７を頂部１２に糊付けしたものである。
【００２３】
このように、串１１の頂部１２にボード部１５を設け、ボード部１５に料理２０に関する告知情報を表示することで、告知用の掲示具１０を簡単な構成にできる。
さらに、ボード部１５を紙で形成し、串１１の頂部１２に糊付けで取り付けるだけの簡素な構成とする。
【００２４】
このボード部１５は、ボード部１５の両下辺１８を串１１から外側に向けて上がり勾配に形成されている。
これにより、例えば串１１を手で持った場合に、ボード部１５の両下辺１８が手に当たることを防止する。
【００２５】
この告知用の掲示具１０は、図３に示すように串１１の先端１３を、だんごなどの料理２０に差し込むことや、図４に示すように、カレーライスなどの料理２０の横、すなわち食器２１の上に置くことが可能になり、ボード部１５を料理２０の極めて近傍に配置することができる。
【００２６】
よって、食器２１が複数個存在する場合でも、ボード部１５が、どの料理２０の告知情報を示しているのかが明確となる。
これにより、料理２０を食べる人は、ボード部１５の表示を読むことにより、料理２０に関する告知情報を、手間をかけないで簡単に知ることができる。
【００２７】
さらに、図２に示すようにボード部１５として使用する紙１６を中央１６ａで折り曲げ、この折り曲げて重ね合わせた一対の折曲片１７で串１１の頂部１２を挟み込むことで、両方の折曲片１７に、料理２０に関する告知情報を表示できる。
【００２８】
よって、図３に示すように、だんごのような料理２０に串１１の先端１３を差し込むことで、料理２０に関する告知情報を、多方向から読み取ることができるので利用価値をさらに高めることができる。
【００２９】
さらに、図４に示すように、カレーライスのような料理２０の近傍に、告知用の掲示具１０を置く場合に、ボード部１５の向きを気にしないで置くことができるので、告知用の掲示具１０の使い勝手をさらに高めることができる。
【００３０】
次に、図５〜図８に基づいて第２〜第３実施の形態について説明する。なお、第２〜第３実施の形態において第１実施の形態と同一部材については同一符号を付して説明を省略する。
【００３１】
図５〜図６に示す第２実施の形態の告知用の掲示具３０は、カレーライス、だんごや白玉などの多種の料理２０（図３、図４参照）に差し込み可能な串３１の頂部３２に表示用のボード部１５を設け、このボード部１５に料理２０に関する告知情報を表示するものである。
【００３２】
串３１は、頂部３２を第１実施の形態の頂部１２と比べて幅Ｗを広く形成し、さらに長さＬを第１実施の形態の串１１の長さと比べて短く形成した点で、第１実施の形態と異なるだけで、その他の構成は第１実施の形態と同様である。
【００３３】
このように、串３１の頂部３２の幅Ｗを広くすることで、ボード１５を頂部３２に手間をかけないでより簡単に糊付けすることができる。
また、串３１の長さを異ならせることで、多種の食器類に使用することができ、用途の拡大を図ることができる。
さらに、第２実施の形態によれば、第１実施の形態と同様の効果を得ることができる。
【００３４】
図７〜図８に示す第３実施の形態の告知用の掲示具４０は、カレーライス、だんごや白玉などの多種の料理２０（図３、図４参照）に差し込み可能な串３１の頂部３２に表示用のボード部４５を設け、このボード部４５の表面４５ａに料理２０に関する告知情報を表示するものである。
【００３５】
この告知用の掲示具４０は、第２実施の形態と同じ串３１を使用し、ボード部４５として一枚の紙を折り曲げないで使用し、ボート部４５の裏面を串３１の頂部３２に当て、ボード部４５の裏面に接着テープ４６（図８参照）で頂部３２を取り付け、ボート部４５の表面４５ａに、料理２０に含まれている成分を表示したものである。
【００３６】
図８に示すようにボード部４５を頂部３２に接着テープ４６で取り付けることができるので、ボード部４５をより簡単に串３１の頂部３２に取り付けることができる。
さらに、第３実施の形態によれば、第１、第２実施の形態と同様の効果を得ることができる。
【００３７】
なお、前記実施の形態では、ボード部１５、４５を紙で形成した例について説明したが、これに限られないで、例えば図１〜図６に示すボード部１５を折り曲げ可能な樹脂性のシートで形成することも可能であり、例えば図７〜図８に示すボード部４５を樹脂性のシートで形成することも可能である。
【００３８】
さらに、前記実施の形態では、串１１、３１とボード部１５，４５とを別部材で構成し、それぞれの部材を糊や接着テープで取り付ける例について説明したが、これに限られないで、例えば串とボード部とを樹脂や金属で一体に形成することも可能である。
【００３９】
【発明の効果】
以上述べたように、請求項１による告知用の掲示具によれば、串の頂部にボード部を設け、このボード部に、料理に関する告知情報を表示するように構成することで、告知用の掲示具を簡単な構成とすることができ、告知用の掲示具の低コスト化を図ることができる。
【００４０】
また、この告知用の掲示具によれば、串を料理に差し込むことや、料理の横に置くことが可能になり、ボード部を料理の極めて近傍に配置することができる。よって、食器が複数個存在する場合でも、ボード部が、どの料理に対応しているのかがわかり易くなり、隣のものとまぎれる虞が少ない。。
これにより、料理を食べる人は、ボード部の表示を読むことにより、料理に関する告知情報を、簡単にかつ正確に知ることができる。
【００４１】
請求項２は、ボード部の下辺を串から外側に向けて上がり勾配に形成することで、例えば串を手で持った場合に、ボード部の下辺が手に当たることを防止することができる。
これにより、使い勝手のよい告知用の掲示具を提供することができる。
【００４２】
請求項３は、ボード部を紙で形成し、前記串の頂部に糊付けや接着テープで取り付けるだけの簡素な構成とすることができる。
これにより、告知用の掲示具を簡単な構成とすることで、告知用の掲示具の低コスト化を図ることができる。
【００４３】
請求項４は、ボード部として使用する紙を中央で折り曲げ、折り曲げて重ね合わせた一対の折曲片で串の頂部を挟み込むことで、両方の折曲片に、料理に関する告知情報を表示することができる。
これにより、多方向から料理に関する告知情報を読み取ることができるので、利用価値をさらに高めることができる。
また、告知用の掲示具を料理の近傍に置く場合に、ボード部の向きを気にしないで置くことができるので、本発明に係る告知用の掲示具の使い勝手をさらに高めることができる。
【図面の簡単な説明】
【図１】本発明に係る告知用の掲示具の第１実施の形態を示す平面図である。
【図２】同第１実施の形態の分解斜視図である。
【図３】同第１実施の形態の使用例を示す説明図である。
【図４】同第１実施の形態の使用例を示すもう一つの説明図である。
【図５】本発明に係る告知用の掲示具の第２実施の形態を示す平面図である。
【図６】同第２実施の形態の分解斜視図である。
【図７】本発明に係る告知用の掲示具の第３実施の形態を示す平面図である。
【図８】同第３実施の形態の分解斜視図である。
【符号の説明】
１０…告知用の掲示具
１１、３１…串
１２、３２…頂部
１５、４５…ボード部
１６…紙
１６ａ…紙の中央
１７…折曲片
１８…ボード部の下辺
２０…料理
４６…接着テープ
【図１】
2004325700.tif 000003
【図２】
2004325700.tif 000004
【図３】
2004325700.tif 000005
【図４】
2004325700.tif 000006
【図５】
2004325700.tif 000007
【図６】
2004325700.tif 000008
【図７】
2004325700.tif 000009
【図８】
2004325700.tif 000010